(57)【要約】【課題】時計部材などの金属筺体部材が曲面によって構成される部材であっても、稜線を明瞭に表現し、時計などの筺体のシルエットをはっきりとさせることができる金属筺体部材を提供する。【解決手段】複数の表面を有する金属筺体部材であって、金属筺体部材には、複数の表面により稜線部が形成されているとともに、該稜線部から内側にくぼんだくぼみ部を有しており、金属筺体部材表面とくぼみ部表面との境界線を稜線部とする。【選択図】図１
2010223786.tif 000002
【特許請求の範囲】
【請求項１】
複数の表面を有する金属筺体部材であって、
前記金属筺体部材には、複数の表面により稜線部が形成されているとともに、該稜線部から内側にくぼんだくぼみ部を有しており、
前記金属筺体部材表面とくぼみ部表面との境界線が稜線部であることを特徴とする金属筺体部材。
【請求項２】
前記くぼみ部は、金属筺体部材の複数の表面の少なくとも一面の端部を始点として形成されていることを特徴とする請求項１に記載の金属筺体部材。
【請求項３】
前記金属筺体部材の第１の表面と第２の表面とで稜線部を形成することを特徴とする請求項１または２に記載の金属筺体部材。
【請求項４】
前記金属筺体部材の上面と側面とで稜線部を形成することを特徴とする請求項３に記載の金属筺体部材。
【請求項５】
前記稜線部を形成する金属筺体部材表面とくぼみ部表面のなす角が１５０°以下となるようにくぼみ部を形成することを特徴とする請求項１から４のいずれかに記載の金属筺体部材。
【請求項６】
前記くぼみ部が、逆Ｒ形状、溝形状、直線形状のうち少なくともいずれかの形状であることを特徴とする請求項１から５のいずれかに記載の金属筺体部材。
【請求項７】
前記金属筺体部材を表面処理することを特徴とする請求項１から６のいずれかに記載の金属筺体部材。
【請求項８】
前記表面処理が、鏡面仕上げ処理またはブラスト処理であることを特徴とする請求項７に記載の金属筺体部材。
【請求項９】
前記金属筺体部材の表面に塗装を施すことを特徴とする請求項１から８のいずれかに記載の金属筺体部材。
【請求項１０】
前記金属筺体部材のくぼみ部および表面部を、曲面とすることを特徴とする請求項１から９のいずれかに記載の金属筺体部材。
【請求項１１】
前記金属筺体部材が、時計の時計ケース、時計バンド、裏蓋、中留め部材、文字板のうち少なくともいずれかであることを特徴とする請求項１から１０のいずれかに記載の金属筺体部材。
【発明の詳細な説明】
【技術分野】
【０００１】
本発明は、視認者が明瞭に認識することができる稜線が形成された金属筺体部材、特に、時計の金属部材に関する。
【背景技術】
【０００２】
従来から、時計、特に腕時計は、装飾品や装身具としての美観や高級感が求められることから、時計ケースや時計のバンド、中留め部材や文字板などには、金属製の部材が用いられている。
【０００３】
これは、合成樹脂などの時計ケースや時計のバンドなどが、その質感、色調、または軽量さから、安価な外観と装着感とを使用者に与えるものであり、これに対して、金属製の時計ケースや時計バンドなどが、高級感のある外観と装着感とを使用者に与えるためである。
【０００４】
一方、時計のシルエットをはっきりとさせるデザインとして、図１２に示すように、時計１００の時計ケース１１０などの時計部材を構成する面と面の境界線である稜線１１５を視認者が明瞭に認識できるように形成することが行われている。
【発明の概要】
【発明が解決しようとする課題】
【０００５】
しかしながら、例えば、図１３に示すように、時計部材が曲面によって構成される時計１００の場合には、稜線１１５がはっきりと表れない場合がある。なお、図１２，１３において、符号１１６は風防ガラス、符号１１８は裏蓋を示している。
【０００６】
さらに、このような時計ケース１１０や裏蓋１１８などの時計部材に塗装を施した場合には、塗装がダレてしまい、視認者が稜線１１５をまったく認識することができなくなってしまう。
【０００７】
視認者が稜線１１５を認識できないために、時計１００のシルエットがはっきりとせずに、見映えが悪いという問題が発生していた。このため、時計部材に塗装を施した場合であっても、稜線が明瞭に認識することができ、見映えのよい時計が望まれていた。
【０００８】
本発明はこのような現状に鑑み、時計部材などの金属筺体部材が曲面によって構成される部材であっても、稜線を明瞭に表現し、時計などの筺体のシルエットをはっきりとさせることができる金属筺体部材を提供することを目的とする。
【０００９】
さらに本発明では、時計の金属部材などの金属筺体部材の表面に塗装を施した場合であっても、稜線がダレることがなく、時計などの筺体のシルエットをはっきりとさせることができる金属筺体部材を提供することを目的とする。
【課題を解決するための手段】
【００１０】
本発明は、前述したような従来技術における課題及び目的を達成するために発明されたものであって、本発明の金属筺体部材は、
複数の表面を有する金属筺体部材であって、
前記金属筺体部材には、複数の表面により稜線部が形成されているとともに、該稜線部から内側にくぼんだくぼみ部を有しており、
前記金属筺体部材表面とくぼみ部表面との境界線が稜線部であることを特徴とする。
【００１１】
このように構成することによって、金属筺体部材表面とくぼみ部表面の２面がなす角を鋭くすることができるため、視認者が稜線部を視認した際に、明瞭に稜線を認識することができる。
【００１２】
このため、この金属筺体部材を時計に適用すれば、時計のシルエットをはっきりとさせることができ、デザインバリエーションに優れ、良好な美観や高級感を有し、外観に優れた時計とすることができる。
【００１３】
また、本発明の金属筺体部材は、前記くぼみ部は、金属筺体部材の複数の表面の少なくとも一面の端部を始点として形成されていることを特徴とする。
このように、表面の端部を始点としてくぼみ部を形成することによって、この表面の端部、すなわち稜線部において視認者が稜線を認識可能な程度の角度を確保することができる。
【００１４】
また、本発明の金属筺体部材は、前記金属筺体部材の第１の表面と第２の表面とで稜線部を形成することを特徴とする。
また、本発明の金属筺体部材は、前記金属筺体部材の上面と側面とで稜線部を形成することを特徴とする。
【００１５】
このように、２つの表面、特に金属筐体部材の上面と側面の境界部において稜線部を形成することによって、金属筐体部材のシルエットがはっきりとし、例えば、金属筐体として時計に適用する場合には、時計全体のシルエットとしてシャープなイメージを視認者に与えることができる。
【００１６】
また、本発明の金属筺体部材は、前記稜線部を形成する金属筺体部材表面とくぼみ部表面のなす角が１５０°以下となるようにくぼみ部を形成することを特徴とする。
このように、金属筺体部材表面とくぼみ部表面のなす角が１５０°以下となるようにくぼみ部を形成することによって、視認者は稜線を明瞭に認識することができる。
【００１７】
さらには、金属筺体部材表面とくぼみ部表面のなす角を９０°以下となるようにくぼみ部を形成することによって、視認者は稜線をより明瞭に認識することができる。
また、本発明の金属筺体部材は、前記くぼみ部が、逆Ｒ形状、溝形状、直線形状のうち少なくともいずれかの形状であることを特徴とする。
【００１８】
このようにくぼみ部を逆Ｒ形状、溝形状、直線形状などの形状として形成することによって、上述するような金属筺体部材表面とくぼみ部表面のなす角を容易に調整することができるため、複雑な加工を施すことなく、低コストで、稜線を明瞭に視認することができる金属筺体部材とすることができる。
【００１９】
なお、本発明において「逆Ｒ形状」とは、後述する図３に示すように、筐体の内方にＲをもって凹んだ形状を意味している。また、「溝形状」とは、後述する図４（Ａ）に示すような形状、「直線形状」とは、後述する図４（Ｂ）に示すような形状を意味している。
【００２０】
また、本発明の金属筺体部材は、前記金属筺体部材を表面処理することを特徴とする。
このように、金属筺体部材にくぼみ部を形成した後、金属筺体部材の表面全体、もしくは一部に表面処理をすることによって、金属筺体部材の成形加工時やくぼみ部の形成加工時に生じた金属筺体部材表面やくぼみ部表面などの傷や歪みなどを補整し、美観に優れた金属筺体部材表面を得ることができる。
【００２１】
このため、この金属筺体部材を時計に適用すれば、時計のシルエットをはっきりとさせることができ、デザインバリエーションに優れ、良好な美観や高級感を有し、外観に優れた時計とすることができる。
【００２２】
また、本発明の金属筺体部材は、前記表面処理が、鏡面仕上げ処理またはブラスト処理であることを特徴とする。
このように、金属筺体部材表面やくぼみ部表面に、鏡面仕上げ処理を施すことによって、美観に優れた金属筺体部材表面を得ることができるので、この金属筺体部材を時計に適用すれば、デザインバリエーションに優れ、良好な美観や高級感を有し、外観に優れた時計とすることができる。
【００２３】
また、金属筺体部材表面やくぼみ部表面に、ブラスト処理を施すことによって、金属筺体部材表面やくぼみ部表面に凹凸が生じるため、金属筺体部材表面やくぼみ部表面に塗装を施す場合であっても、塗料が定着しやすくなり塗膜の剥げなどを防ぐことができる。
【００２４】
なお、ブラスト処理の手法としては、特に限定されるものではなく、機械式や空気式などの乾式手法や、湿式手法などを用いることができる。
また、本発明の金属筺体部材は、前記金属筺体部材の表面に塗装を施すことを特徴とする。
【００２５】
このように、金属筺体部材の表面に塗装を施した場合であっても、稜線を形成すべき稜線部から内方にくぼんだくぼみ部が形成されているため、視認者は稜線を明瞭に認識することができる。
【００２６】
このため、この金属筺体部材を時計に適用すれば、時計の金属部材の形状がどのような形状であっても、稜線を明瞭に形成することができ、時計のシルエットをはっきりとさせ、全体として、見栄えのよい時計とすることができる。
【００２７】
なお、塗装方法としては、特に限定されるものではないが、例えば、刷毛塗り、吹付塗装、焼付塗装、浸漬塗り、電着塗装、静電塗装、粉体塗装、紫外線硬化塗装などの塗装方法を用いることができる。
【００２８】
また、塗膜の厚さとしては、特に限定されるものではないが、１００μｍ以下、より好ましくは７０μｍ以下とすることが好ましい。このような厚さとすることによって、時計本来のシルエットが崩されることなく、装飾品や装身具としての美観や高級感を損ねることがない。
【００２９】
また、本発明の金属筺体部材は、前記金属筺体部材のくぼみ部および表面部を、曲面とすることを特徴とする。
このように、前記金属筺体部材のくぼみ部および表面部といった被塗装表面を曲面とすることによって、塗膜に働く表面張力が分散され、容易に塗膜の厚さを均一に保つことができ、外観に優れた塗装を施すことができる。
【００３０】
また、本発明の金属筺体部材は、前記金属筺体部材が、時計の時計ケース、時計バンド、裏蓋、中留め部材、文字板のうち少なくともいずれかであることを特徴とする。
このように、時計ケース、裏蓋、時計バンド、中留め部材、文字板など、時計部材の形状によらず、稜線を形成することができる。このため、デザインバリエーションに優れ、良好な美観や高級感を有し、外観に優れた時計とすることができる。
【発明の効果】
【００３１】
本発明によれば、複数の表面により稜線部が形成されているとともに、この稜線部から内側にくぼんだくぼみ部を有しており、金属筺体部材表面とくぼみ部表面との境界線を稜線部としているため、金属筺体部材表面とくぼみ部表面のなす角が、視認者にとって稜線を明瞭に認識することができる角度とすることができる。
【００３２】
このため、金属筺体部材、例えば、時計の金属部材の形状がどのような形状であったとしても、稜線を明瞭に形成することができ、時計のシルエットをはっきりとさせ、全体として、見映えのよい時計とすることができる。
【図面の簡単な説明】
【００３３】
【図１】図１は、本発明の金属筺体部材を適用した時計の一部を示す斜視図である。
【図２】図２は、図１の時計の部分拡大図である。
【図３】図３は、図１の時計におけるＡ−Ａ線の部分断面図である。
【図４】図４は、時計１０のくぼみ部１５の別の形状を示す図３と同様な部分断面図である。
【図５】図５は、本発明の金属筺体部材を適用した時計の別の実施例の斜視図である。
【図６】図６は、図５の時計のＢ−Ｂ線の部分断面図である。
【図７】図７は、本発明の金属筺体部材を適用した時計の一部を示す別の実施例の斜視図である。
【図８】図８は、図７の時計の文字板を示す上面図である。
【図９】図９は、図８の文字板におけるＣ−Ｃ線の部分断面図である。
【図１０】図１０は、本発明の金属筺体部材を適用した時計の一部を示す別の実施例の斜視図である。
【図１１】図１１は、図１０の時計におけるＤ−Ｄ線の部分拡大図である。
【図１２】図１２は、従来の時計の部分拡大図である。
【図１３】図１３は、従来の時計の部分拡大図である。
【発明を実施するための形態】
【００３４】
以下、本発明の実施の形態（実施例）を図面に基づいてより詳細に説明する。
【実施例１】
【００３５】
図１は、本発明の金属筺体部材を適用した時計の一部を示す斜視図、図２は、図１の時計の部分拡大図、図３は、図１の時計におけるＡ−Ａ線の部分断面図である。
図１〜図３において、符号１０は、全体で時計を示している。
【００３６】
この時計１０は、ハウジング１２を構成する時計ケース１４，風防ガラス１６，裏蓋１８と、時計バンド２０によって時計の外装部材が構成されている。
そして、時計ケース１４と裏蓋１８、時計バンド２０が金属部材、例えば、金、銀、白金、銅、黄銅、アルミニウム、マグネシウム、亜鉛、チタン、あるいはこれらの合金、ステンレススチール、タンタルカーバイド等によって構成されている。
【００３７】
また、ハウジング１２内には、時計駆動部を構成するムーブメント（図示せず）が配置され、このムーブメントの上面に、文字板３０が配置されている。なお、文字板３０の材質は、特に限定されるものではないが、例えば、金、銀、白金、銅、黄銅、アルミニウム、マグネシウム、亜鉛、チタン、あるいはこれらの合金、ステンレススチール、タンタルカーバイド等の金属製の部材や、合成樹脂、セラミック、紙、繊維体、不織布、織布、ガラス、七宝などの陶材、貝・貴石・宝石などの装飾石、琥珀などを用いることができる。特に、ソーラーセルの発電によってムーブメントを動作されるように構成されたソーラー時計とする場合には、透光性を有する材料を用いることが好ましい。また、時刻情報を含む長波標準電波（搬送波）を受信し、その時刻情報に基づいて時刻を修正する電波時計とする場合には、非導電性の材料を用いることが好ましい。透光性を有し、かつ、非導電性の材料としては、例えば、合成樹脂、セラミック、紙、繊維体、不織布、織布、ガラス、七宝などの陶材、貝・貴石・宝石などの装飾石、琥珀などを挙げることができる。
【００３８】
この時計１０では、時計ケース１４の上面１４ａと側面１４ｂとの境界線によって稜線を形成するために、側面１４ｂにくぼみ部１５を形成している。なお、符号１５ａは、稜線部を示しており、くぼみ部１５は、この稜線部１５ａから時計ケース１４の内方に切欠するように形成されている。
【００３９】
くぼみ部１５を形成する方法は、特に限定されるものではないが、フライスやバイト、エンドミルなどを用いた切削加工や、砥石車などを用いた研削加工などの機械加工によって形成することができる。
【００４０】
また、くぼみ部１５の形状は、図１〜３に示した実施例では、逆Ｒ形状となっているが、これに限るものではなく、例えば、図４（Ａ）に示すように、溝形状としてもよいし、図４（Ｂ）に示すように、直線形状としてもよい。
【００４１】
このように、稜線部１５ａから時計ケース１４の内方に切欠するようにくぼみ部１５を形成することによって、稜線部１５ａにおいて時計ケース１４の上面１４ａと、くぼみ部１５の表面１５ｂとがなす角を鋭くすることができるため、視認者が稜線部１５ａを視認した際に、明瞭に稜線を認識することができる。
【００４２】
なお、稜線を形成する２面、本実施例でいえば、時計ケース１４の上面１４ａとくぼみ部表面１５ｂの２面がなす角θが１５０°以下、より好ましくは９０°以下となるように、くぼみ部１５を形成することが好ましい。このような角度θとすることによって、視認者は稜線をより明瞭に認識することができる。
【００４３】
このように構成された時計１０は、時計ケース１４にくぼみ部１５を形成した後、時計１０を組み立てる前に、時計ケース１４の表面に、鏡面仕上げ処理などの表面処理を行っている。
【００４４】
ここで、鏡面仕上げ処理とは、研磨剤などを用いて表面を研磨し、表面粗度を極々小さくすることによって、金属表面を鏡面の如く仕上げる表面処理のことである。
なお、表面処理としては、鏡面仕上げ処理には限らず、ヘアーライン処理や後述するようなブラスト処理を行ってもよい。
【００４５】
このように、表面処理を施すことによって、時計１０は、装飾品や装身具としての美観や高級感が向上することになる。
【実施例２】
【００４６】
図５は、本発明の金属筺体部材を適用した時計の一部を示す別の実施例の斜視図、図６は、図５の時計のＢ−Ｂ線の部分断面図である。
この実施例の時計１０は、図１〜４に示した時計１０と基本的には同様な構成であり、同一の構成部材には、同一の参照番号を付して、その詳細な説明を省略する。
【００４７】
この実施例の時計１０では、図５，６に示したように、時計ケース１４の側面１４ｂにくぼみ部１５を形成するとともに、時計ケース１４の上面１４ａにもくぼみ部２２を形成している。
【００４８】
このように、時計ケース１４の上面１４ａにもくぼみ部２２を形成することで、稜線部１５ａにおいて上面１４ａのくぼみ部２２の表面２２ｂと、側面１４ｂのくぼみ部１５の表面１５ｂとがなす角をより鋭くすることができるため、視認者が稜線部１５ａを視認した際に、より明瞭に稜線を認識することができる。
【００４９】
なお、上面１４ａのくぼみ部２２の形状は、側面１４ｂのくぼみ部１５と同様に、逆Ｒ形状に限らず、溝形状であっても、直線形状であっても構わない。
また、上面１４ａのくぼみ部表面２２ｂと側面１４ｂのくぼみ部表面１５ｂの２面がなす角θは１５０°以下、より好ましくは９０°以下となるように、くぼみ部２２及びくぼみ部１５を形成することが好ましい。このような角度θとすることによって、視認者は稜線をより明瞭に認識することができる。
【実施例３】
【００５０】
図７は、本発明の金属筺体部材を適用した時計の一部を示す別の実施例の斜視図、図８は、図７の時計の文字板を示す上面図、図９は、図８の文字板におけるＣ−Ｃ線の部分断面図である。
【００５１】
この実施例の時計１０は、図１〜４に示した時計１０と基本的には同様な構成であり、同一の構成部材には、同一の参照番号を付して、その詳細な説明を省略する。
この実施例の時計１０では、図７〜８に示したように、時計１０の時計バンド２０や文字板３０にも明瞭な稜線を形成するために、くぼみ部２１、３１が形成されている。
【００５２】
なお、この実施例において、時計バンド２０及び文字板３０は、金属部材、例えば、金、銀、白金、銅、黄銅、アルミニウム、マグネシウム、亜鉛、チタン、あるいはこれらの合金、ステンレススチール、タンタルカーバイド等によって構成されている。
【００５３】
時計バンド２０の場合には、実施例１に示した時計ケース１４のくぼみ部１５と同様に、時計バンド２０の上面２０ａと側面２０ｂとの境界線によって稜線を形成するために、側面２０ｂにくぼみ部２１を形成している。
【００５４】
一方、文字板３０の場合には、文字板表面３０ａに稜線を形成するために、図９に示すように、文字板表面３０ａにおいて、稜線を形成すべき稜線部３１ａから文字板３０の内方に切欠するようにくぼみ部３１が形成されている。
【００５５】
このくぼみ部３１は、逆Ｒ形状となっているが、実施例１のくぼみ部１５と同様に、溝形状や直線形状などのくぼみ部３１としても構わない。
また、くぼみ部３１の表面３１ｂと文字板表面３０ａとの２面がなす角は、実施例１の時計ケース１４の上面１４ａとくぼみ部表面１５ｂの２面がなす角θと同様に、１５０°以下、より好ましくは９０°以下となるようにくぼみ部３１を形成することが好ましい。
【００５６】
このようにすることによって、文字板３０のような平面状の部材においても稜線を形成することができ、デザインバリエーションに優れ、良好な美観や高級感を有し、外観に優れた文字板３０とすることができる。
【００５７】
なお、このように平面状の部材に稜線を形成する加工方法は、文字板３０のみに適用可能なものではなく、例えば、時計ケース１４の上面１４ａや、時計バンド２０の上面２０ａ、裏蓋１８の表面などにも同様に適用することができる。
【実施例４】
【００５８】
図１０は、本発明の金属筺体部材を適用した時計の一部を示す別の実施例の斜視図、図１１は、図１０の時計におけるＤ−Ｄ線の部分拡大図である。
この実施例の時計１０は、図１〜４に示した時計１０と基本的には同様な構成であり、同一の構成部材には、同一の参照番号を付して、その詳細な説明を省略する。
【００５９】
この実施例の時計１０では、図１０，１１に示したように、時計ケース１４の表面に塗装を施し、塗膜２８を形成している。
なお、この実施例では、図１１に示すように、多層の塗膜を形成して塗装を施しているが、これに限定されるものではなく、単層の塗膜としてもよい。
【００６０】
また、塗装方法としては、特に限定されるものではないが、例えば、刷毛塗り、吹付塗装、焼付塗装、浸漬塗り、電着塗装、静電塗装、粉体塗装、紫外線硬化塗装などの塗装方法を用いることができる。
【００６１】
また、塗膜２８の厚さとしては、特に限定されるものではないが、１００μｍ以下、より好ましくは７０μｍ以下とすることが好ましい。このような厚さとすることによって、時計本来のシルエットが崩されることなく、装飾品や装身具としての美観や高級感を損ねることがない。なお、図１１では説明のため、塗膜の厚さを過大に表現している。
【００６２】
なお、塗装を行う前に、時計ケース１４の表面にブラスト処理を施すことが好ましい。このようにブラスト処理を施すことによって、時計ケース１４の表面に凹凸が生じ、塗装を行う際に塗料が定着しやすくなる。なお、ブラスト処理の手法としては、特に限定されるものではなく、機械式や空気式などの乾式手法や、湿式手法などを用いることができる。
【００６３】
また、この実施例のように、塗装を行う場合には、図１１に示すように、被塗装表面を曲面とすることが好ましい。被塗装表面が平板状である場合には、塗膜２８に働く表面張力によって、塗装に歪みが生じてしまう場合があるが、このように、被塗装表面を曲面とすることによって、容易に塗膜の厚さを均一に保つことができる。
【００６４】
このようにすることによって、時計１０の表面に塗装を施した場合であっても稜線を明瞭に表現することができ、デザインバリエーションに優れ、良好な美観や高級感を有し、外観に優れた時計１０とすることができる。
【００６５】
以上、本発明の好ましい実施の態様を説明してきたが、本発明はこれに限定されることはなく、例えば、上述した実施例では腕時計に適用した場合についてのみ説明したが、腕時計以外にも置き時計や掛け時計などの時計や携帯電話にも適用することができるなど、本発明の目的を逸脱しない範囲で種々の変更が可能である。
【符号の説明】
【００６６】
１０      時計
１２      ハウジング
１４      時計ケース
１４ａ    上面
１４ｂ    側面
１５      くぼみ部
１５ａ    稜線部
１５ｂ    くぼみ部表面
１６      風防ガラス
１８      裏蓋
２０      時計バンド
２０ａ    上面
２０ｂ    側面
２１      くぼみ部
２２      くぼみ部
２２ｂ    表面
２２ｂ    くぼみ部表面
２８      塗膜
３０      文字板
３０ａ    文字板表面
３１      くぼみ部
３１ａ    稜線部
３１ｂ    表面
１００    時計
１１０    時計ケース
１１５    稜線
１１６    風防ガラス
１１８    裏蓋
【図１】
2010223786.tif 000003
【図２】
2010223786.tif 000004
【図３】
2010223786.tif 000005
【図４】
2010223786.tif 000006
【図５】
2010223786.tif 000007
【図６】
2010223786.tif 000008
【図７】
2010223786.tif 000009
【図８】
2010223786.tif 000010
【図９】
2010223786.tif 000011
【図１０】
2010223786.tif 000012
【図１１】
2010223786.tif 000013
【図１２】
2010223786.tif 000014
【図１３】
2010223786.tif 000015